(57)【要約】      （修正有）【課題】毎日、何回かに決められた時の服薬時にその薬を探す手間を省き、一目でその薬を見つけ出し更に文字で再確認できる、又この薬箱は服用時の煩わしい手間を省く事を目標に形態が設計されているため極めて低価格で提供できる服薬支援薬箱を提供する。【解決手段】横幅と奥行きが一定寸法で、高さが段階的に一定の差のある複数の薬容器と、高さの順に収納する収納容器からなり、使用者の服用する薬の数、とその薬の量により、必要な大きさの薬容器だけを収納容器に収納する。又、各薬容器の前面上部に、薬を服用する時間帯を色で表示し、薬の服用量も表示したシールを貼り付けることにより、一目でそのときに探す薬がみつかり、さらに文字で再確認できるようにして服薬支援薬箱を構成する。【選択図】図１
0003160570.tif 000002
【実用新案登録請求の範囲】
【請求項１】
定寸法で段階的に差のある複数の箱の容器で、使用者の服用する薬の数とその数量により必要な容器のみを購入し各種組み合わせて
使用できる、各容器の箱の前面上部には薬の服用する時間帯を表示したシ  −ルを貼付することにより色にて一目でその時に探す薬が見つかり更に文字で再確認でき便利で安全で、低価格で、ご利用になれる服薬支援薬箱。
【請求項２】
裏面を剥がせば粘着力のあるシールが、請求項１に記載の服薬支援薬箱。
【請求項３】
前記シールが朝は黄色、昼はブルー色、夕方はオレンジ色、  夜は黒色、食間は赤色、とし、この５つの色を単色または色を組み合わせ  からなる、請求項２に記載の服薬支援薬箱。
【考案の詳細な説明】
【技術分野】
【０００１】
本考案は服薬支援薬箱に関するものであり、薬箱の形態に工夫を加え、さらに特製シールを貼付する事によって、その時に服用する薬が手も触れずに一目でみつけられるようにした服薬支援薬箱の技術分野に属する。
【背景技術】
【０００２】
従来からの服薬支援薬箱は服用するまでに手間がかかり且つ価格もそれなりの価格のようですが、薬箱に手も触れずに目的の薬を一目で見っけられるような薬箱はあまりないようである。
【考案の概要】
【考案が解決しようとする課題】
【０００３】
従来のような薬箱では毎日何種類もの薬を朝、昼、夕方、夜、そして食間と選んで服用するのは大層手間のかかる作業である、この手間のかかる作業を一目見ただけで解決し、さらに薬箱を低価格で提供することを課題とする。
【課題を解決するための手段】
【０００４】
この課題を解決するための考案は薬箱の一部に特製シールを貼付するスペースを設けこのシーには色と文字により薬を飲む時期が、表示されています、この薬箱は単体の形態により、このシールの表示により複数の薬箱の中から探す薬が一目でみつけられます、又この薬箱は形体から製作費を削減でき又利用される方は自分の服薬の種類と薬の容量にあった単体の薬箱をもとめて組合せてご使用になればさらに無駄なく使用されます。
【考案の効果】
【０００５】
本考案はこの薬箱を利用する事により、医師の処方箋によって指定された薬を朝、昼、夕方、夜、食間と服用するとき数種類の薬の中から一目で今飲む薬を取り出せ便利なことが証明される。
【考案を実施するための最良の形態】
【０００６】
図１は単体７個の薬箱をケースに収容して７個とも使用している状況を正面よりの斜視図である、医師の処方箋で薬局より渡された薬は、朝飲む薬は朝の箱に、昼の薬は昼の箱にと、朝、昼、夕方、夜、食間、に飲む薬はその指示の薬箱にすべてを収納して使用する，服用する時はシールの色でさがし文字で再確認して服用する。
【０００７】
図３は朝のバックの色は黄色で朝の文字は黒色である、昼のバックの色はブルー色で文字は黒色である、楕円の中は白色で、に飲むお薬ですと黒文字です、横には  前  後    錠と文字が白地に黒色でありますが  この薬は食事の前に飲むのか、後に飲むのか、該当する方を○で囲み  その下の錠の上に１回に服用する薬の数量を記入するようになっています。
【０００８】
粘着性のあるシールに朝・昼・夕方・夜・食間  をそれぞれ黄色・ブルー色・オレンジ色・黒色・赤色と色分けしてその上に該当する文字を書き込まれたシールを単体薬箱のよく見える位置に貼付して薬服用のとき色でさがしつぎに文字で再確認して服用する。
【図面の簡単な説明】
【０００９】
【図１】単体薬箱が７個使用されているさまを正面よりの斜視図。
【図２】薬箱の単体の未使用の正面図でシールの貼付位置を指示している            下の記号はこの薬箱の大きさを表示している。
【図３】単体薬箱にシールを貼付した図。
【図４】単体薬箱を真裏から見た図。
【図５】単体薬箱のフタを開けた時の裏の図。
【図６】単体薬箱を真横から見た図。
【図７】単体薬箱を上から見た図。
【図８】単体薬箱を容量の順に横に並べた図。
【図９】７個の単体薬箱を組合せケースに入れて使用中の正面図。
【図１０】朝はバック色      黄色          昼はバック色      ブルー色            夕方はバック色    オレンジ色    夜はバック色黒色            食間はバック色    赤色      で着色されその上に朝、昼、夕方            夜、食間、とそれぞれの文字が黒文字で記載されている。
【符号の説明】
【００１０】
１    色が黄色で朝に飲む薬であることを知らせているシール。
２    色がブルー色で昼に飲む薬であることを知らせているシール。
３    色がオレンジ色で夕方に飲む薬であることを知らせているシール。
４    色が黒色で夜に飲む薬であることを知らせているシール。
５    色が赤色で食間に飲む薬であることを知らせているシール
さらに内部分に表示がある。
６    白文字であることを示すシール。
７    白地に黒文字であることを示すシール。
８    黒文字であることを示すシール。
９    シールを貼付する位置の表示。
１０  単体薬箱の大きさを表示した記号。
１１  単体の薬箱を組合せて使用する時にまとめる収納容器。
【図１】
0003160570.tif 000003
【図２】
0003160570.tif 000004
【図３】
0003160570.tif 000005
【図４】
0003160570.tif 000006
【図５】
0003160570.tif 000007
【図６】
0003160570.tif 000008
【図７】
0003160570.tif 000009
【図８】
0003160570.tif 000010
【図９】
0003160570.tif 000011
【図１０】
0003160570.tif 000012
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
横幅と奥行きが一定寸法で、高さが段階的に一定の差のある複数の薬容器と、
高さの順に収納する収納容器からなり、使用者の服用する薬の数、とその薬
の量により、必要な大きさの薬容器だけを収納容器に収納し、各薬容器の前面上部に、薬を服用する時間帯を色で表示し、薬の服用量も表示したシールを貼り付けることにより、一目でそのときに探す薬がみつかり、さらに文字で再確認できることを特徴とする服薬支援薬箱。
【請求項２】
請求項１記載のシールが裏面を剥がせば粘着力のあるシールであることを特徴とする請求項１記載の服薬支援薬箱。
【請求項３】
請求項１及び請求項２記載の時間帯を色で表示するシールの色が、朝は黄色、
昼はブルー色、夕方はオレンジ色、夜は黒色、食事と食事の間に飲む食間は
赤色で表示し、この５つの色を単色、または色の組合せで表示することを特
徴とする請求項１及び請求項２記載の服薬支援薬箱。
【手続補正２】
【補正対象書類名】明細書
【補正対象項目名】全文
【補正方法】変更
【補正の内容】
【考案の詳細な説明】
【技術分野】
【０００１】
本考案は服薬支援薬箱に関するものであり、薬容器の形態に工夫を加え、さらに特製シー
ルを貼付する事によって、その時に服用する薬が手も触れずに一目でみつけられるようにした服薬支援薬箱の技術分野に属する。
【背景技術】
【０００２】
従来からの服薬支援薬箱は服用するまでに手間がかかり且つ価格もそれなりの価格のよう
ですが、薬箱に手も触れずに目的の薬を一目で見っけられるような薬箱はあまりないようである。
【考案の概要】
【考案が解決しようとする課題】
【０００３】
従来のような薬箱では毎日何種類もの薬を朝、昼、夕方、夜、そして食間と選んで服用するのは大層手間のかかる作業である、この手間のかかる作業を一目見ただけで解決し、さらに薬箱を低価格で提供することを課題とする。
【課題を解決するための手段】
【０００４】
この課題を解決するための考案は薬容器の一部に特製シールを貼付するスペースを設けこのシールには色と文字により薬を飲む時期が表示されています、この薬容器は単体の形態
により、このシールの表示により複数の薬容器の中から探す薬が一目で見つけられます、又この薬容器は形体から製作費を削減でき又利用される方は自分の服薬の種類と薬の容量
あった単体の薬容器をもとめて組合せてご使用になればさらに無駄なく使用されます。
【考案の効果】
【０００５】
本考案はこの薬箱を利用する事により、医師の処方箋によって指定された薬を朝、昼、夕方、夜、食間と服用するとき数種類の薬の中から一目で今飲む薬を取り出せ便利なことが
証明される。
【考案を実施するための最良の形態】
【０００６】
図１は単体７個の薬容器をケースに収容して７個とも使用している状況を正面よりの斜視図である、医師の処方箋で薬局より渡された薬は、朝飲む薬は朝の薬容器に、昼の薬は
昼の薬容器に、と朝、昼、夕方、夜、食間、に飲む薬はその指示の薬容器にすべてを収納して使用する、服用する時はシールの色でさがし文字で再確認して服用する。
【０００７】
図３は朝のバックの色は黄色で朝の文字は黒色である、昼のバックの色はブルー色で文字
は黒色である、楕円の中は白色で、に飲むお薬ですと黒文字です、横には  前  後    錠
と文字が白地に黒色でありますが  この薬は食事の前に飲むのか、後に飲むのか、該当する方を○で囲み  その下の錠の上に１回に服用する薬の数量を記入するようになっています。
【０００８】
粘着性のあるシールに朝・昼・夕方・夜・食間  をそれぞれ黄色・ブルー色・オレンジ色・黒色・赤色と色分けしてその上に該当する文字を書き込まれたシールを単体薬容器のよく見える位置に貼付して薬服用のとき色でさがしつぎに文字で再確認して服用する。
【図面の簡単な説明】
【０００９】
【図１】単体薬容器が７個使用されているさまを正面よりの斜視図。
【図２】薬容器の単体の未使用の正面図でシールの貼付位置を指示している            下の記号はこの薬容器の大きさを表示している。
【図３】単体薬容器にシールを貼付した図。
【図４】単体薬容器を真裏から見た図。
【図５】単体薬容器のフタを開けた時の裏の図。
【図６】単体薬容器を真横から見た図。
【図７】単体薬容器を上から見た図。
【図８】単体薬容器を容量の順に横に並べた図。
【図９】７個の単体薬容器を組合せケースに入れて使用中の正面図。
【図１０】朝はバック色      黄色          昼はバック色      ブルー色            夕方はバック色    オレンジ色    夜はバック色黒色            食間はバック色    赤色      で着色されその上に朝、昼、夕方            夜、食間、とそれぞれの文字が黒文字で記載されている。
【符号の説明】
【００１０】
１    色が黄色で朝に飲む薬であることを知らせているシール。
２    色がブルー色で昼に飲む薬であることを知らせているシール。
３    色がオレンジ色で夕方に飲む薬であることを知らせているシール。
４    色が黒色で夜に飲む薬であることを知らせているシール。
５    色が赤色で食間に飲む薬であることを知らせているシール
さらに内部分に表示がある。
６    白文字であることを示すシール。
７    白地に黒文字であることを示すシール。
８    黒文字であることを示すシール。
９    シールを貼付する位置の表示。
１０  単体薬容器の大きさを表示した記号。
１１  単体の薬容器を組合せて使用する時にまとめる収納容器。